(57)【要約】【課題】本発明は、高い強度を有するとともに、広い視界と明瞭な視界とを兼ね備えたウインドスクリーンを提供することを課題とする。【解決手段】本発明にかかるウインドスクリーン２１は、自動二輪車用のウインドスクリーン２１であって、一の透明部材からなる風防板４１を備えている。風防板４１を第一領域４３と第二領域４４とに区分けし、第二領域４４の厚みが、該第一領域４３の厚みよりも大きくなるようにする。【選択図】図４
2008179293.tif 000002
【特許請求の範囲】
【請求項１】
乗り物用のウインドスクリーンであって、
一の透明部材からなる風防板を備え、
該風防板が、少なくとも第一領域と、第二領域とを有し、
該第二領域は、該第一領域よりも厚みが大きいことを特徴とするウインドスクリーン。
【請求項２】
前記第一領域は前記風防板の中心部分及び上方部分を含み、前記第二領域は前記風防板の下方部分を含む、請求項１に記載のウインドスクリーン。
【請求項３】
前記風防板は左端部から右端部まで延びる境界部をさらに有し、該風防板が該境界部によって前記第一領域と前記第二領域とに区分けされている、請求項２記載のウインドスクリーン。
【請求項４】
前記境界部の左右中央部分は、該境界部の左右端付近のうち最も上方に位置する部分よりも下方に位置する、請求項３記載のウインドスクリーン。
【請求項５】
前記風防板を乗り物本体に固定するための固定片をさらに備え、該固定片が該風防板に取り付けられ、前記第二領域は該風防板の該固定片が取り付けられた取り付け個所の少なくとも一部を含むか、又は、該風防板の該取り付け個所の近傍まで形成されている、請求項１乃至４のいずれかに記載のウインドスクリーン。
【請求項６】
前記風防板を乗り物本体に固定するための少なくとも二の固定片をさらに備え、該少なくとも二の固定片が該風防板に取り付けられ、
該二の固定片のうち一方の固定片を通って上下方向に延びる該風防板上の仮想の線を第１仮想線とし、該二の固定片のうち他方の固定片を通って上下方向に延びる該風防板上の仮想の線を第２仮想線としたとき、前記第二領域は、前記第１仮想線上の一部と前記第２仮想線上の一部とをつなぐように広がっている、請求項１乃至４のいずれかに記載のウインドスクリーン。
【請求項７】
前記風防板がインジェクション製法で形成されている、請求項１乃至６のいずれかに記載のウインドスクリーン。
【請求項８】
乗り物本体に対して昇降可能である、請求項１乃至７のいずれかに記載のウインドスクリーン。
【請求項９】
請求項１乃至８のいずれかに記載のウインドスクリーンを備えたことを特徴とする自動二輪車。
【発明の詳細な説明】
【技術分野】
【０００１】
本発明は、乗り物用のウインドスクリーンに関し、特に強度が高く視界の広いウインドスクリーンに関する。また、上記ウインドスクリーンを備えた自動二輪車に関する。
【背景技術】
【０００２】
ウインドスクリーンは、自動二輪車等の乗り物の前方上部に位置し、走行風圧からライダーを守ることを主な目的とする乗り物の構成品である。例えば、自動二輪車が走行すると、ウインドスクリーンに風圧がかかり、ウインドスクリーンを支える支持部分には大きな力がかかる。特に、支持部分の面積が小さい場合には、支持部分にかかる力がより大きくなる。支持部分の面積が小さい自動二輪車の例として、ウインドスクリーンを昇降させるウインドスクリーン装置を備えた自動二輪車が挙げられる。ウインドスクリーン昇降装置はウインドスクリーンを周縁ではなく面内側で支えるため、ウインドスクリーン昇降装置に使用するウインドスクリーンは、視界を妨げないよう支持部分の面積を小さくする傾向がある。このように支持部分の面積が小さい場合、ウインドスクリーンを通常の厚さにすると強度不足となり、逆に厚さを大きく（厚く）すると車重は重くなり、視界も歪んでしまう場合もある。
【０００３】
これに対して、特許文献１では、風防装置（ウインドスクリーン昇降装置）についての提案がなされており、幅方向及び上下方向に延びるステー部材を固定した風防板が開示されている。かかる風防板によれば、ステー部材自体の剛性により風防板の剛性を高めることができるため、風防板の厚肉化による視界の歪み等を回避できるとしている。
【特許文献１】特開２００２ー８７３５４号公報
【発明の開示】
【発明が解決しようとする課題】
【０００４】
しかしながら、特許文献１で開示されている風防板は、補強部材であるステー部材が不透明であるため、ステー部材が取り付けられている領域では、視界が妨げられてしまう。また、この補強部材は比較的広い範囲に及んで取り付けられており、その結果として風防板全体の視界が狭くなっている。
【０００５】
そこで本発明は、高い強度を有するとともに、広い視界と明瞭な視界とを兼ね備えたウインドスクリーンを提供することを目的としている。
【課題を解決するための手段】
【０００６】
本発明は上述のような事情に鑑みてなされたものであり、本発明にかかるウインドスクリーンは、乗り物用のウインドスクリーンであって、一の透明部材からなる風防板を備え、該風防板が、少なくとも第一領域と、第二領域とを有し、該第二領域は、該第一領域よりも厚みが大きいことを特徴とする。
【０００７】
ここで、「透明部材」とは、無色透明の部材のみならず、有色透明やミラータイプ等の部材も含まれる。かかる構成によれば、第一領域では歪みのない視界を得つつ、第二領域では高い強度を得ることができる。
【０００８】
また、上記ウインドスクリーンにおいて、前記第一領域は前記風防板の中心部分及び上方部分を含み、前記第二領域は前記風防板の下方部分を含むようにしてもよい。ライダーがウインドスクリーンを通して外部を見る場合、その視点は、風防板の中心部分又は上方部分にある。そのため、上記構成によれば、ライダーの視点の周辺において、歪みのない明瞭な視界を確保することができる。
【０００９】
また、上記ウインドスクリーンにおいて、前記風防板は左端部から右端部まで延びる境界部をさらに有し、該風防板が該境界部によって前記第一領域と前記第二領域とに区分けされるようにしてもよい。かかる構成によれば、第一領域内に第二領域が存在しないことから、第一領域の全域において、歪みのない明瞭な視界を確保することができる。また、第二領域内に第一領域が存在しないことから、第二領域が途切れることがなく、その結果として第二領域全体の強度を向上させることができる。
【００１０】
また、上記ウインドスクリーンにおいて、前記境界部の左右中央部分は、該境界部の左右端付近のうち最も上方に位置する部分よりも下方に位置するようにしてもよい。かかる構成によれば、ライダーの視点の周辺において歪みのない明瞭な視界を十分に確保しつつ、風防板の広い範囲を補強することができる。
【００１１】
また、上記ウインドスクリーンにおいて、前記風防板を乗り物本体に固定するための固定片をさらに備え、該固定片が該風防板に取り付けられ、前記第二領域は該風防板の該固定片が取り付けられた取り付け個所の少なくとも一部を含むか、又は、該風防板の該取り付け個所の近傍まで形成されているようにしてもよい。かかる構成によれば、固定片のうち、応力が集中しやすい固定片の付近を補強することができる。
【００１２】
また、上記ウインドスクリーンにおいて、前記風防板を乗り物本体に固定するための少なくとも二の固定片をさらに備え、該少なくとも二の固定片が該風防板に取り付けられ、該二の固定片のうち一方の固定片を通って上下方向に延びる該風防板上の仮想の線を第１仮想線とし、該二の固定片のうち他方の固定片を通って上下方向に延びる該風防板上の仮想の線を第２仮想線としたとき、前記第二領域は、前記第１仮想線上の一部と前記第２仮想線上の一部とをつなぐように広がっているようにしてもよい。
【００１３】
固定片が少なくとも２つある場合、固定片の周辺に力がかかりやすくなるとともに、上記の第１仮想線と第２仮想線の間にも力がかかりやすくなる。そのため、固定片を第二領域に含めることが難しい場合、第１仮想線と第２仮想線の間の一部を第二領域とすることで、ウインドスクリーンの強度を上げることができる。
【００１４】
また、上記ウインドスクリーンにおいて、前記風防板がインジェクション製法で形成されるようにしてもよい。かかる構成によれば、領域によって厚みの異なる風防板を容易に作ることができる。
【００１５】
また、上記ウインドスクリーンにおいて、乗り物本体に対して昇降可能であるとしてもよい。
【００１６】
さらに、本発明に係るウインドスクリーンの製造方法は、上記ウインドスクリーンの風防板がインジェクション製法で形成されていることを特徴とする。
【発明の効果】
【００１７】
以上の説明から明らかなように、本発明によれば、ウインドスクリーンを構成する風防板は、第一領域では歪みのない明瞭な視界を得つつ、第二領域では高い強度を得ることができる。また、第一領域と第二領域のいずれの領域においても視界を確保することができる。よって、本発明によれば、高い強度を有するとともに、広い視界と明瞭な視界を兼ね備えたウインドスクリーンを提供することができる。
【発明を実施するための最良の形態】
【００１８】
以下、本発明に係る実施形態について図を参照して説明する。なお、本実施形態で用いる方向の概念は、自動二輪車に搭乗したライダーから見た方向の概念と一致するものとして説明する。
【００１９】
まず、本発明の実施形態に係る自動二輪車１について説明する。図１は本発明の実施形態に係る自動二輪車１の左側面図である。図１に示すように、自動二輪車１は前輪２と後輪３とを備え、前輪２は略上下方向に延びるフロントフォーク４の下端部にて回転自在に支持され、該フロントフォーク４は、その上端部に設けられたアッパーブラケット（図示せず）と該アッパーブラケットの下方に設けられたアンダーブラケット（図示せず）とを介してステアリングシャフト（図示せず）に支持されている。該ステアリングシャフトはヘッドパイプ５によって回動自在に支持されている。該アッパーブラケットには左右へ延びるバー型のステアリングハンドル６が取り付けられている。従って、運転者はステアリングハンドル６を回動操作することにより、前記ステアリングシャフトを回動軸として前輪２を所望の方向へ転向させることができる。ステアリングハンドル６の後方には燃料タンク７が設けられており、この燃料タンク７の後方に運転者騎乗用のシート８が設けられている。
【００２０】
ヘッドパイプ５からはメインフレーム９が若干下方に傾斜しながら後方へ延びており、このメインフレーム９の後部にピボットフレーム１０が接続されている。前輪２と後輪３の間では、エンジンＥがメインフレーム９およびピボットフレーム１０等に支持された状態で搭載されている。エンジンＥには、トランスミッション１１が一体的に設けられている。トランスミッション１１のアウトプットシャフト１２には、ベベルギア（図示せず）を介してドライブシャフト１３の前端部が連結されている。ドライブシャフト１３の後端部は、後輪３の車軸１４に連結されたリヤギアケース１５に接続されている。ピボットフレーム１０とリヤギアケース１５との間には、スイングアーム１６とトルクロッド１７とが上下に並列して掛け渡されている。
【００２１】
ステアリングハンドル６の前方には走行速度やエンジン回転数等を表示するメータ装置１９が配置されている。また、車体前部から車体両側にかけてエンジンＥなどを覆うようにカウリング２０が設けられている。車体の前部にはカウリング２０にヘッドライト２２が設けられている。ヘッドライト２２の上部にウインドスクリーン２１が配置されている。ウインドスクリーン２１は、メータ装置１９の前方に配置されたウインドスクリーン昇降装置３０により電動で昇降可能となっている。
【００２２】
次に、本発明の実施形態にかかるウインドスクリーン昇降装置３０について説明する。図２は、自動二輪車１の前方上部付近の前方斜視図であって、（ａ）から（ｃ）にかけてウインドスクリーン２１が上昇する様子を示している。また、図３は、自動二輪車１の前方上部付近の後方斜視図であって、（ａ）から（ｃ）にかけてウインドスクリーン２１が上昇する様子を示している。図２の（ａ）乃至（ｃ）に示す状態は、それぞれ図３の（ａ）乃至（ｃ）に示す状態に対応している。例えば、図２（ａ）に示す状態のとき、自動二輪車１の前方上部付近を斜め後方から見ると、図３（ａ）に示すような状態となっている。なお、図２中の破線は、自動二輪車１のうち、ウインドスクリーン２１を通して見える部分を表わしている。
【００２３】
図２及び図３に示すように、ウインドスクリーン昇降装置３０は、ウインドスクリーン２１を自動二輪車本体に対して上昇させることができ、また、下降させることもできる。図２及び図３では、ウインドスクリーン昇降装置３０がカバー３１で覆われているため、その内部機構は示されていないが、図３ではウインドスクリーン昇降装置３０の一部である２つの支持部材３２が示されている。支持部材３２は、カバー３１に施されたガイド孔３３を通って、カバー３１の表側に延びている。支持部材３２は、ウインドスクリーン２１の後方の左右にそれぞれ位置し、ウインドスクリーン２１と結合している。支持部材３２は、ウインドスクリーン昇降装置３０の構成品である昇降レール（図示せず）に沿って左右同時にスライドする。支持部材３２がスライドすると、支持部材３２の動きに伴ってウインドスクリーン２１も昇降する。なお、カバー３１のガイド孔３３は、支持部材３２の軌道に沿って施されているため、支持部材３２がカバー３１と接触することはない。ウインドスクリーン昇降装置３０及びその周辺部分が上記のような構成を有しているため、ウインドスクリーン昇降装置３０はウインドスクリーン２１を図２（ａ）乃至（ｃ）及び図３（ａ）乃至（ｃ）に示すように昇降させることができる。
【００２４】
次に、本発明の実施形態に係るウインドスクリーン２１について説明する。図４は、ウインドスクリーン２１の正面図である。図４に示すように、ウインドスクリーン２１は、風防板４１と、固定片４２とを備えている。風防板４１は、全体が透明の樹脂部品である。風防板４１は透明であるため、風防板４１の裏側から表側をみることができ、また、表側から裏側を見ることができる。さらに、風防板４１は、その表面が部分球（曲）面となっており、表側が突出している。そのため、表側から受けた風を後（横）側に逃がすことができる。なお、本実施形態では風防板４１が、正面視において五角形を一部欠いたような形状となっているが、自動二輪車１の構造によって風防板４１の形状は変化する。
【００２５】
固定片４２は、風防板４１を自動二輪車１の本体に固定する役割を有しており、風防板４１とは別部材の不透明の樹脂部品である。風防板４１は、固定片４２を使用して、次のように自動二輪車１の本体（ウインドスクリーン昇降装置３０）に固定される。つまり、固定片４２とウインドスクリーン昇降装置３０の支持部材３２の先端とによって風防板４１を挟み、その状態で固定片４２、風防板４１、及び支持部材３２（図３）に固定用ボルト３４を通し、最後に固定用ボルトを固定用ナット（図示せず）に締め込んで全体を挟み付ける。これにより、風防板４１は、自動二輪車１の本体（ウインドスクリーン昇降装置３０）に固定される。なお、ウインドスクリーン昇降装置３０の構造によって固定片４２の数や形状は変化する。
【００２６】
次に、本発明の実施形態に係る風防板４１についてさらに詳しく説明する。図５は、風防板４１の正面図である。図５の風防板４１は、図４のウインドスクリーン２１から固定片４２を取り除いたものである。図５中、固定片４２の取り付け個所４６は、二点鎖線で示されている。なお、風防板４１の取り付け個所４６内に施されている固定孔４７は、支持部材３２（図３）を固定し、また、上記の固定用ボルト３４（図４）を通すためのものである。
【００２７】
図５に示すように、風防板４１は、第一領域４３と、第二領域４４と、境界部４５とを有している。風防板４１は、第一領域４３と第二領域４４のいずれにおいても、厚みが略均一、かつ、平滑となっている。そのため、第一領域４３と第二領域４４のいずれにおいても、視界を確保することができる。つまり、風防板４１のほぼ全域において、視界を確保することができる。ここで、上記の「厚みが略均一、かつ、平滑」とは、ある程度のまとまった領域で厚みが略均一、かつ、平滑である場合をいい、微少な領域において厚みが略均一、かつ、平滑である場合は含まれない。例えば、風防板４１の表面が細かく波打っている場合や細かな突起が点在している場合は、上記の「厚みが略均一、かつ、平滑」には含まれない。このような構成では、裏側から表側を見た場合、視界が歪み、良好な視界を確保できているとは言えないからである。
【００２８】
図６は、第一領域４３と第二領域４４との境界部分における風防板４１の拡大断面図である。図６に示すように、第二領域４４は、第一領域４３よりも厚みが大きくなっている。具体的には、第一領域４３の厚みが略４ｍｍとなっており、第二領域４４の厚みが略５ｍｍとなっている。境界部４５は、第一領域４３と第二領域４４の境界に位置している。境界部４５の厚みは徐々に変化し、第一領域４３の厚さ（４ｍｍ）から第二領域４４の厚さ（５ｍｍ）へ、あるいは第二領域４４の厚さ（５ｍｍ）から第一領域の厚さ（４ｍｍ）へと変化している。ここで、自動二輪車の風防板としては、厚みが４ｍｍのものと、５ｍｍのものが使用されることが多い。厚みが４ｍｍの風防板の特徴として、厚みが５ｍｍのものに比べ強度がやや低いが、軽く、視界が歪まないという点が挙げられる。一方、厚みが５ｍｍの風防板の特徴として、厚みが４ｍｍのものに比べ重く、視界が歪む傾向にあるが、視界は確保でき、強度が高いという点が挙げられる。本実施形態では、一枚の風防板４１において、４ｍｍの厚さの領域（第一領域４３）と５ｍｍの厚さの領域（第二領域４４）とを組み合わせることで、４ｍｍの厚さの領域（第一領域４３）で歪みのない視界を確保しつつ、５ｍｍの厚さの領域（第二領域４４）で補強している。なお、補強領域である第二領域４４は、第一領域４３よりも厚いものの、視界は十分に確保することができる。また、本実施形態に係る風防板４１は、インジェクション製法によって製造される。インジェクション製法は、公知技術であるため、ここでは説明を省略する。
【００２９】
また、図５に示すように、第一領域４３は風防板４１の中心部分Ｃ及び上方部分Ｈを含んでいる。一方、第二領域４４は風防板４１の下方部分Ｌを含んでいる。ここで、中心部分Ｃとは、上下方向中央かつ左右方向中央である点およびその周辺の部分である。自動二輪車１の多くは、風防板４１の上端部分よりもライダーの目の位置が高くなっていることから（図１参照）、ライダーは、主に風防板４１の中心部分Ｃから上方部分Ｈを介して外部の様子を確認する。つまり、ライダーの視点は、風防板４１の中心部分Ｃから上方部分Ｈにあることが多い。そのため、上記のように風防板４１の中心部分Ｃ及び上方部分Ｈが第一領域４３に含まれることで、ライダーの視点の周辺において、歪みのない視界を確保することができる。また、上記のように第二領域４４が、風防板４１の下方部分Ｌを含み、風防板４１の下方部分Ｌを補強することで風防板４１全体の剛性を高めている。なお、第二領域４４であっても視界を確保できている点については、上述したとおりである。さらに、図７の風防板４１Ａのように、中心部分Ｃよりも上方を第二領域とする場合であっても、第一領域４３が風防板４１Ａの中心部分Ｃ及び上方部分Ｈを含むようにすることが望ましい。
【００３０】
また、図５に示すように、境界部４５は、風防板４１の左端部から右端部まで延びており、風防板４１を第一領域４３と第二領域４４とに区分けしている。つまり、境界部４５よりも上方が第一領域４３となっており、境界部４５よりも下方が第二領域４４となっている。よって、第一領域４３の内部に独立した第二領域４４はなく、第二領域４４の内部にも独立した第一領域４３はない。第一領域４３と第二領域４４とが入り交じってしまうと、視界を狭める恐れがあるのに対し、図５に示すように、第一領域４３と第二領域４４とが区分けされていれば、風防板４１ほぼ全域で視界を確保することができる。なお、図５において、境界部４５のうち、円弧状になっている部分は５ｍｍ程度の幅を有しており、取り付け個所４６で上方に突出している部分は幅を有していない。境界部４５のうち、円弧状になっている部分では、風防板４１の裏側の表面が第一領域４３から第二領域４４までゆるやかに傾斜している。
【００３１】
また、上記のように、境界部４５のほとんどが下方に突出する円弧形状となっている。正確に言えば、境界部４５の左右中央部分は、左右端部よりも下方に位置している。通常、ライダーの視点は、ウインドスクリーン２１の左右端部よりも左右中央部分にあることが多い。そのため、境界部４５を下方に突出する円弧状とすることで、ライダーの視点の周辺において、より広い範囲で歪みのない視界を確保することができる。なお、このような効果は、境界部４５が下方に突出する円弧状となっている場合に限られない。例えば、図８に示す風防板４１Ｂのように、境界部４５が波打っている場合であっても、境界部４５の左右中央線部分が、境界部４５の左右端部付近のうち最も上方に位置する部分よりも下方に位置すれば、上記の効果を得ることができる。
【００３２】
また、図２（ｃ）及び図３（ｃ）に示すように、ウインドスクリーン２１が最上位置にあるとき、風防板４１が取り付けられた自動二輪車１を正面から見た場合、境界部４５の中央部は、自動二輪車１のメータ装置１９の上縁よりも下方に位置している。よって、風防板４１の左右中央において、第二領域４４がメータ装置１９の下方に位置するため、ライダーの視点の周辺において第二領域の影響を抑えることができる。ただし、第二領域４４がライダーの視点の周辺にあったとしても、第二領域４４でも視界は確保できているため、視界が狭まることはない。なお、本実施形態のように、ウインドスクリーン２１が最上位置にあるときに、境界部４５の中央部が自動二輪車１のメータ装置１９の上縁よりも下方に位置するのが望ましいが、少なくともウインドスクリーン２１が最下位置にあるときに境界部４５の中央部が自動二輪車１のメータ装置１９の上縁よりも下方に位置すれば良い。また、自動二輪車１がウインドスクリーン昇降装置３０を備えておらず、ウインドスクリーン２１が昇降しない場合は、ウインドスクリーン２１の固定位置において、境界部４５の中央部が自動二輪車１のメータ装置１９の上縁よりも下方に位置すれば良い。
【００３３】
また、図５に示すように、第二領域４４は、固定片４２が取り付けられる取り付け個所４６の一部（下半分全体と上半分の内側）を含んでいる。既に述べたように、風防板４１を支える部分（取り付け個所４６）には、応力が集中する。そのため、取り付け個所４６を第二領域４４に少なくとも一部を含めることで、効率よく風防板４１を補強することができる。なお、第二領域４４は取り付け個所４６の全体を含むのが望ましいが、図５のように取り付け個所４６の大部分を含むようにしてもよく、図９に示す風防板４１Ｃのように半分程度含むようにしてもよい。さらに、第二領域４４が取り付け個所４６を部分的にも含むことができない場合は、風防板４１の取り付け個所４６の近傍まで第二領域４４を形成するのが望ましい。
【００３４】
また、図５に示すように、取り付け個所４６（固定片４２；図４参照）のうち一方（図中左側）の取り付け個所４６を通って上下方向に延びる風防板４１上の仮想の線である第１仮想線ＶＬ１と、他方（図中右側）の取り付け個所４６を通って上下方向に延びる風防板４１上の仮想の線である第２仮想線ＶＬ２とを考える。そうすると、図５に示すように、第二領域４４は、第１仮想線ＶＬ１から第２仮想線ＶＬ２にかかけて広がっている。ここで、風防板４１の表面は部分球曲面になっており、表側が突出しているため、風圧によって風防板４１の中心付近は、大きな力を受けることになる。この力に対して、固定片４２は支点となり、風防板４１の中心付近と２つの固定片４２の間とをつなぐ中央線ＣＬ上には、風防板４１を折曲げようとする力が働く。そのため、第二領域４４が第１仮想線ＶＬ１と第２仮想線ＶＬ２とを連続的につなぐことで、この中央線ＣＬに沿う部分を補強することができ、風防板４１を折曲げようとする力に対抗することができる。なお、このような効果を得るためには、必ずしも図５のように、第二領域４４が２つの取り付け個所４６をつなぐように広がる必要がない。例えば、図１０に示す風防板４１Ｄのように、第二領域４４が２つの取り付け個所４６（固定片４２）をつながなくとも、第１仮想線ＶＬ１上の一部（下部分）と第２仮想線ＶＬ２上の一部（下部分）とを連続的につなぐように広がっていればよい。
【００３５】
以上、本発明に係る実施形態について図を参照して説明した。なお、前述した実施形態では自動二輪車を例示しているが、ウインドスクリーンを有する乗り物であれば小型滑走艇（Personal Water Craft：PWC）や四輪車（例えば、ＡＴＶ等）などに適用してもよい。また、本発明は前述した実施形態に限定されるものではなく、本発明の趣旨を逸脱しない範囲でその構成を変更、追加、又は削除することができる。
【産業上の利用可能性】
【００３６】
以上のように、本発明に係るウインドスクリーンは、高い強度を有するとともに、広い視界と明瞭な視界を兼ね備えている。よって、ウインドスクリーン及び自動二輪車の技術分野において有益である。
【図面の簡単な説明】
【００３７】
【図１】本発明の実施形態に係る自動二輪車の左側面図である。
【図２】図１に示す自動二輪車の前方上部付近の前方斜視図であって、（ａ）から（ｃ）にかけてウインドスクリーンが上昇する様子を示している。
【図３】図１に示す自動二輪車の前方上部付近の後方斜視図であって、（ａ）から（ｃ）にかけてウインドスクリーンが上昇する様子を示している。
【図４】図１に示すウインドスクリーンの正面図である。
【図５】図４に示す風防板の正面図である。
【図６】図４に示す風防板の拡大断面図である。
【図７】本発明に係る風防板の他の実施形態を示した図である。
【図８】本発明に係る風防板の他の実施形態を示した図である。
【図９】本発明に係る風防板の他の実施形態を示した図である。
【図１０】本発明に係る風防板の他の実施形態を示した図である。
【符号の説明】
【００３８】
１  自動二輪車
１９  メータ装置
２１  ウインドスクリーン
４１  風防板
４２  固定片
４３  第一領域
４４  第二領域
４５  境界部
４６  取り付け個所
Ｈ  上方部分
Ｃ  中心部分
Ｌ  下方部分
ＶＬ１  第１仮想線
ＶＬ２  第２仮想線
【図１】
2008179293.tif 000003
【図２】
2008179293.tif 000004
【図３】
2008179293.tif 000005
【図４】
2008179293.tif 000006
【図５】
2008179293.tif 000007
【図６】
2008179293.tif 000008
【図７】
2008179293.tif 000009
【図８】
2008179293.tif 000010
【図９】
2008179293.tif 000011
【図１０】
2008179293.tif 000012